(57)【要約】      （修正有）【課題】粘着剤によって両者の接触面を少し溶解して接合することにより、被覆層と樹脂製スリーブの分離を防止すること。【解決手段】ゴルフクラブのグリップに設置され、裏側には樹脂製スリーブ２１が設けてあり、外側には被覆層２２が設けてあり、樹脂製スリーブ２１はシャフトに応じ収縮弾性を持つスリーブ体であり、樹脂製スリーブ２１をシャフト１に嵌め込むと、樹脂製スリーブ２１がシャフトに緊密に嵌合し、樹脂製スリーブの外周面の中段には被覆層で被覆された窪み部２１１が設けてあるゴルフクラブ用グリップ・スリーブの構造において、被覆層２２は、その裏側に設置され樹脂製スリーブと同様の材質で作製された裏層粘着層２２１と、その外側に設置された表層２２２とから構成されたものであり、前記裏層粘着層と表層を予めに縫って一体にした後、粘着剤を塗布した前記裏層粘着層を樹脂製スリーブ２１に粘着する。【選択図】図１
0003110453.tif 000002
【実用新案登録請求の範囲】
【請求項１】
ゴルフクラブのグリップに設置され、裏側には樹脂製スリーブが設けてあり、外側には被覆層が設けてあり、前記樹脂製スリーブはシャフトに応じ収縮弾性を持つスリーブ体であり、前記樹脂製スリーブをシャフトに嵌め込むと、前記樹脂製スリーブがシャフトに緊密に嵌合し、前記樹脂製スリーブの外周面の中段には被覆層で被覆された窪み部が設けてあるゴルフクラブ用グリップ・スリーブの構造において、
前記被覆層は、その裏側に設置され樹脂製スリーブと同様の材質で作製された裏層粘着層と、その外側に設置された表層とから構成されたものであり、
前記裏層粘着層と表層を予めに縫って一体にした後、粘着剤を塗布した前記裏層粘着層を前記樹脂製スリーブに粘着することを特徴とする、
ゴルフクラブ用グリップ・スリーブの構造。
【請求項２】
前記被覆層は、纏わって粘着する方式によって樹脂製スリーブに固定されることを特徴とする、請求項１に記載のゴルフクラブ用グリップ・スリーブの構造。
【請求項３】
前記被覆層は、包んで粘着する方式によって樹脂製スリーブに固定されることを特徴とする、請求項１に記載のゴルフクラブ用グリップ・スリーブの構造。
【考案の詳細な説明】
【技術分野】
【０００１】
本考案はゴルフクラブ用グリップ・スリーブの構造に係り、特に、被覆層と樹脂製スリーブの接触面が同じ材料であり、粘着剤によって両者の接触面を少し溶解して接合することにより、被覆層と樹脂製スリーブが分離できなくなるゴルフクラブ用グリップ・スリーブの構造に関するものである。
【背景技術】
【０００２】
まず、図５と図６を参照する。従来のゴルフクラブ用グリップ・スリーブは、シャフト５の上端にグリップ・スリーブ６を嵌め込んで設けられる。前記グリップ・スリーブ６は、裏層の樹脂製スリーブ６１と、表層の被覆層６２とを有する。前記樹脂製スリーブ６１はシャフト５に応じ収縮弾性を持つスリーブ体であり、前記樹脂製スリーブ６１をシャフト５に嵌め込むと、前記樹脂製スリーブ６１がシャフト５に緊密に嵌合する。前記樹脂製スリーブ６１の外周面の中段には被覆層６２で被覆された窪み部が設けてある。前記被覆層６２は天然皮革または合成皮革で作製される。前記被覆層６２が包んで粘着する方式によって樹脂製スリーブ６１に固定される。
【考案の開示】
【考案が解決しようとする課題】
【０００３】
従来のゴルフクラブ用グリップ・スリーブには次のような欠点があった。
（１）従来のゴルフクラブ用グリップ・スリーブ６は、天然皮革または合成皮革で作製された被覆層６２が包んで粘着する方式によって樹脂製スリーブ６１に固定され、両者が異なる材料であり、且つ両者の接合は粘着剤の粘着力によるので、両者の粘着効果が良くなく、また、打球する瞬間に、グリップが大きな振動を受けて、被覆層６２が樹脂製スリーブ６１に対してずれるようになり、また長期間経過すると、粘着剤による粘着力が弱くなって、最後に被覆層６２が樹脂製スリーブ６１から分離する。
【０００４】
（２）従来のゴルフクラブ用グリップ・スリーブは、天然皮革または合成皮革で作製された被覆層６２が包んで粘着する方式によって樹脂製スリーブ６１に固定され、両者が異なる材料であり、且つ両者の接合は粘着剤の粘着力によるので、両者の粘着効果が良くなく、また、ゴルフクラブが、太陽に照られたり、雨に降られたりするので、長期間経過すると、粘着剤による粘着力が弱くなり、最後に被覆層６２が樹脂製スリーブ６１から分離する。
【０００５】
（３）従来のゴルフクラブ用グリップ・スリーブは、天然皮革または合成皮革で作製された被覆層６２が包んで粘着する方式によって樹脂製スリーブ６１に固定され、両者が異なる材料であり、且つ両者の接合は粘着剤の粘着力によるので、両者の粘着効果が良くなく、また、組付け作業は、グリップ・スリーブの一端を少し拡張してシャフトに嵌め込んで、グリップ・スリーブの他端に空気注入針を挿入して空気を注入することにより、グリップ・スリーブを少し膨張させてシャフトの予定位置まで移動させると、組付作業は完成するが、グリップ・スリーブを少し膨張させているときに、被覆層が剥離することがあった。
【課題を解決するための手段】
【０００６】
上記欠点を解決するためになされた本願の考案は、ゴルフクラブのグリップに設置され、裏側には樹脂製スリーブが設けてあり、外側には被覆層が設けてあり、前記樹脂製スリーブはシャフトに応じ収縮弾性を持つスリーブ体であり、前記樹脂製スリーブをシャフトに嵌め込むと、前記樹脂製スリーブがシャフトに緊密に嵌合し、前記樹脂製スリーブの外周面の中段には被覆層で被覆された窪み部が設けてあるゴルフクラブ用グリップ・スリーブの構造において、前記被覆層は、その裏側に設置され樹脂製スリーブと同様の材質で作製された裏層粘着層と、その外側に設置された表層とから構成されたものであり、前記裏層粘着層と表層を予めに縫って一体になった後、粘着剤を塗布した前記裏層粘着層を前記樹脂製スリーブに粘着することを特徴とするゴルフクラブ用グリップ・スリーブの構造であることを要旨としている。
【０００７】
本願の考案では、前記被覆層は、纏わって粘着する方式によって樹脂製スリーブに固定されることを特徴とする請求項１に記載のゴルフクラブ用グリップ・スリーブの構造であることを要旨としている。
【０００８】
本願の考案では、前記被覆層は、包んで粘着する方式によって樹脂製スリーブに固定されることを特徴とする請求項１に記載のゴルフクラブ用グリップ・スリーブの構造であることを要旨としている。
【考案の効果】
【０００９】
本考案に係るゴルフクラブ用グリップ・スリーブの構造によれば、次のような効果がある。
（１）被覆層と樹脂製スリーブの粘着は、両者の接触面の材質が同様であり、粘着剤によって両者の接触面を少し溶解して粘着すると、両者が一体に接合するので、打球する瞬間にグリップが振動しても、両者は分離することがない。
【００１０】
（２）被覆層と樹脂製スリーブの粘着は、両者の接触面の材質が同様であり、粘着剤によって両者の接触面を少し溶解して粘着すると、両者が一体に接合するので、ゴルフクラブが、長期間に太陽に照られたり、雨に降られたりしても、粘着剤による粘着力が弱くならず、被覆層が樹脂製スリーブから分離することがない。
【００１１】
（３）裏層粘着層と表層を予めに縫って一体になった後、前記裏層粘着層に粘着剤を塗布して前記樹脂製スリーブに粘着するので、打球した瞬間にグリップが振動しても、ゴルフクラブが、長期間に太陽に照られたり、雨に降られたりしても、被覆層が樹脂製スリーブから分離することがない。
【考案を実施するための最良の形態】
【００１２】
以下、添付図面を参照して本考案の好適な実施の形態を詳細に説明する。
【００１３】
まず、図１乃至図３を参照して説明する。本考案に係るゴルフクラブ用グリップ・スリーブの構造は、グリップ・スリーブ２がグリップに設置され、裏側には樹脂製スリーブ２１が設けてあり、外側には被覆層２２が設けてあり、前記樹脂製スリーブ２１はシャフト１に応じ収縮弾性を持つスリーブ体であり、前記樹脂製スリーブ２１をシャフト１に嵌め込むと、前記樹脂製スリーブ２１がシャフト１に緊密に嵌合する。前記樹脂製スリーブ２１の外周面の中段には被覆層２２で被覆された窪み部２１１が設けてある。
【００１４】
前記被覆層２２は、その裏側に設置され樹脂製スリーブ２１と同様の材質で作製された裏層粘着層２２１と、その外側に設置された表層２２２とから構成されたものであり、前記裏層粘着層２２１と表層２２２を予めに縫って一体になった後、裏層粘着層２２１と、樹脂製スリーブ２１にある窪み部２１１とに粘着剤を塗布して、纏わって粘着する方式によって前記被覆層２２を樹脂製スリーブ２１に固定する。なお、裏層粘着層２２１と樹脂製スリーブ２１の材質が同様であり、粘着剤によって両者を少し溶解して粘着すると、両者が一体に接合するので、裏層粘着層２２１と樹脂製スリーブ２１は容易に分離することがない。
【００１５】
また、図４を参照して説明する。図４に示すのは本考案に係る実施例２であり、あれは、裏層粘着層２２１と、樹脂製スリーブ２１にある窪み部２１１とに粘着剤を塗布して、包んで粘着する方式によって前記被覆層２２を樹脂製スリーブ２１に固定し、なお、前記裏層粘着層２２１は、全体で樹脂製スリーブ２１を包んで粘着してもいいし、分割して樹脂製スリーブ２１を包んで粘着してもいい。
【００１６】
次に、図３と図４を参照する。本考案の組付方法は、まず、纏わって粘着する方式、又は包んで粘着する方式の何れを採用するかを決めて、被覆層２２にある裏層粘着層２２１と、被覆層２２にある表層２２２とを同様な形状および寸法に切って、裏層粘着層２２１と表層２２２を重ねて、これらを一体にするために四周を縫って、また、樹脂製スリーブ２１にある窪み部２１１と、被覆層２２にある裏層粘着層２２１とに粘着剤を塗布した後に、纏わって粘着する方式、又は包んで粘着する方式を採用して、被覆層２２を樹脂製スリーブ２１に粘着して結合することで組付け作業が完成する。
【図面の簡単な説明】
【００１７】
【図１】本考案に係る実施例１の分解斜視図である。
【図２】本考案に係る実施例１の組合状態の側面断面図である。
【図３】本考案に係る実施例１の組合状態の上面断面図である。
【図４】本考案の実施例２の分解斜視図である。
【図５】従来のものの分解斜視図である。
【図６】従来のものの組合状態の側面断面図である。
【符号の説明】
【００１８】
１・・・・・・シャフト
２・・・・・・グリップ・スリーブ
２１・・・・・樹脂製スリーブ
２１１・・・・窪み部
２２・・・・・被覆層
２２１・・・・・・裏側粘着層
２２２・・・・表層
３・・・・・・粘着剤
５・・・・・・シャフト
６・・・・・・グリップ・スリーブ
６１・・・・・樹脂製スリーブ
６１１・・・・窪み部
６２・・・・・被覆層
【図１】
0003110453.tif 000003
【図２】
0003110453.tif 000004
【図３】
0003110453.tif 000005
【図４】
0003110453.tif 000006
【図５】
0003110453.tif 000007
【図６】
0003110453.tif 000008